(57)【要約】【課題】本発明は、回収された被リサイクルフィラーの種類や量が増大しても、これ等を効率良く分類、或いは組み合わせて各種のリサイクル製品のリサイクル工程に振り分けることが出来、これにより回収された被リサイクルフィラーを利用して樹脂製品を製造することが出来るフィラーリサイクルシステムを提供することを可能にすることを目的としている。【解決手段】被リサイクルフィラーの条件情報を記憶するポジティブリストＤＢ２と、被リサイクルフィラーの在庫情報を記憶する在庫ＤＢ３と、製造される樹脂製品の要求条件を指定する製品要求指定手段と、要求条件情報と条件情報と在庫情報から被リサイクルフィラーの最適な組み合わせを出力する最適組み合わせ出力手段とを有して構成したことを特徴とする。【選択図】　　　図４
2004110343.tif 000002
【特許請求の範囲】
【請求項１】
回収された被リサイクルフィラーを利用して樹脂製品を製造するためのフィラーリサイクルシステムであって、
製造される樹脂製品の少なくとも一部に使用出来る被リサイクルフィラーの条件情報を記憶するポジティブリストデータベースと、
回収された被リサイクルフィラーの在庫情報を記憶する在庫データベースと、
製造される樹脂製品の要求条件を指定する製品要求指定手段と、
前記製品要求指定手段により指定された樹脂製品の要求条件情報と、前記ポジティブリストデータベースに記憶された被リサイクルフィラーの条件情報と、前記在庫データベースに記憶された被リサイクルフィラーの在庫情報とから、回収された被リサイクルフィラーの最適な組み合わせを出力する最適組み合わせ出力手段と、
を有することを特徴とするフィラーリサイクルシステム。
【請求項２】
前記ポジティブリストデータベースに記憶される被リサイクルフィラーの条件情報が該被リサイクルフィラーの種類、組成、形状等の品種情報、回収場所、分別、洗浄の有無等の素性情報、未分別の異種材料等の不純物の種類と混入量等の混入情報、製造メーカー名、商標名、グレード名等の識別情報のうちの少なくとも１つを含むことを特徴とする請求項１に記載のフィラーリサイクルシステム。
【請求項３】
被リサイクルフィラーの組み合わせ回答数を指定する回答数指定手段と、
被リサイクルフィラーを選択する優先条件を指定する優先条件指定手段と、
を有し、
前記最適組み合わせ出力手段は、前記回答数指定手段により指定された回答数をｍとし、前記製品要求指定手段により指定された樹脂製品の製品数をｎとし、ｍ＋ｎ−１＝Ｘとすると、
製造される樹脂製品毎の使用可能な被リサイクルフィラーを、前記優先条件指定手段により指定した優先条件に応じて配列させた際の上位Ｘ番目までを夫々の樹脂製品の計算対象要素とし、それ等各計算対象要素の全ての組み合わせを一旦計算して、前記優先条件指定手段により指定した優先条件に応じて優先順に並べ、上位ｎ番目までの優先される組み合わせを取り出して一覧表示することを特徴とする請求項１または請求項２に記載のフィラーリサイクルシステム。
【請求項４】
前記優先条件指定手段により指定される優先条件は、コスト条件、品質条件、納期条件のうちの少なくとも１つを含むことを特徴とする請求項１〜３のいずれか１項に記載のフィラーリサイクルシステム。
【請求項５】
製造される樹脂製品に応じて加工条件や処方条件等の処方情報を記憶する処方箋データベースと、
前記最適組み合わせ出力手段により出力された被リサイクルフィラーの組み合わせに応じて前記処方箋データベースから、その被リサイクルフィラーの組み合わせに応じた処方情報を出力する処方箋出力手段と、
を有することを特徴とする請求項１〜４のいずれか１項に記載のフィラーリサイクルシステム。
【請求項６】
前記処方箋出力手段により出力された処方情報が通信手段を介して選択された加工業者に送信されることを特徴とする請求項５に記載のフィラーリサイクルシステム。
【発明の詳細な説明】
【０００１】
【発明の属する技術分野】
本発明は、回収された被リサイクルフィラーを利用して樹脂製品を製造するためのフィラーリサイクルシステムに関するものである。
【０００２】
【従来の技術】
近年、市場や工場、またリサイクル工場や最終処理場から廃品として回収された回収材を、樹脂充填用のフィラーとして再利用する試みが展開しつつある。例えば、断熱材として使用されていたガラスウールや、ガラスビン等を粉砕したガラス粉砕物、切削金属加工屑の微細化工物、また繊維強化樹脂の製造工程で製品から排除されたガラスファイバー（ＧＦ）やカーボンファイバー（ＣＦ）、自動車の最終処理場から排出されるシュレッダーダスト（ＡＳＲ）、木材加工場から排出された木粉等を回収し、樹脂用充填材として再利用しようとする試みである。
【０００３】
回収されたフィラーは、その組成に応じて回収材とリサイクル製品とが１対１に対応したリサイクル工程に供されるのが一般であった。
【０００４】
また、ポリエステル繊維製衣服のリサイクルシステム（例えば、特許文献１参照。）や、プラスチックリサイクルシステム（例えば、特許文献２参照。）や、不用樹脂シートのリサイクルシステム（例えば、特許文献３参照。）や、樹脂成形におけるリサイクルシステム（例えば、特許文献４参照。）等の技術が提案されている。
【０００５】
【特許文献１】
特開平８−１６４９４５号公報
【特許文献２】
特開２００１−３０２５１号公報
【特許文献３】
特開２０００−６１５２号公報
【特許文献４】
特開平６−２３８６６５号公報
【０００６】
【発明が解決しようとする課題】
しかしながら、前述の従来例において、回収材の種類が増大すると、その回収材の組成や形状、付着物等の不純物、或いは分別・洗浄の有無や回収場所等の回収条件等を個々に考慮しなければならず、これ等を効率良く分類、或いは組み合わせて各種のリサイクル製品のリサイクル工程に振り分けることは困難であった。
【０００７】
本発明は前記課題を解決するものであり、その目的とするところは、回収された被リサイクルフィラーの種類や量が増大しても、これ等を効率良く分類、或いは組み合わせて各種のリサイクル製品のリサイクル工程に振り分けることが出来、これにより回収された被リサイクルフィラーを利用して樹脂製品を製造することが出来るフィラーリサイクルシステムを提供せんとするものである。
【０００８】
【課題を解決するための手段】
前記目的を達成するための本発明に係るフィラーリサイクルシステムは、回収された被リサイクルフィラーを利用して樹脂製品を製造するためのフィラーリサイクルシステムであって、製造される樹脂製品の少なくとも一部に使用出来る被リサイクルフィラーの条件情報を記憶するポジティブリストデータベースと、回収された被リサイクルフィラーの在庫情報を記憶する在庫データベースと、製造される樹脂製品の要求条件を指定する製品要求指定手段と、前記製品要求指定手段により指定された樹脂製品の要求条件情報と、前記ポジティブリストデータベースに記憶された被リサイクルフィラーの条件情報と、前記在庫データベースに記憶された被リサイクルフィラーの在庫情報とから、回収された被リサイクルフィラーの最適な組み合わせを出力する最適組み合わせ出力手段とを有することを特徴とする。
【０００９】
本発明は、上述の如く構成したので、最適組み合わせ出力手段により製品要求指定手段により指定された樹脂製品の要求条件情報と、ポジティブリストデータベースに記憶された被リサイクルフィラーの条件情報と、在庫データベースに記憶された被リサイクルフィラーの在庫情報とから、回収された被リサイクルフィラーの最適な組み合わせを出力することが出来る。
【００１０】
これにより、回収された被リサイクルフィラーの種類や量が増大しても、これ等を効率良く分類、或いは組み合わせて各種のリサイクル製品のリサイクル工程に振り分けることが出来、多種多様に回収された被リサイクルフィラーを利用して各種の樹脂製品を製造するフィラーリサイクルシステムを容易に構築することが出来る。
【００１１】
また、前記ポジティブリストデータベースに記憶される被リサイクルフィラーの条件情報が、該被リサイクルフィラーの種類、組成、形状等の品種情報、回収場所、分別、洗浄の有無等の素性情報、未分別の異種材料等の不純物の種類と混入量等の混入情報、製造メーカー名、商標名、グレード名等の識別情報のうちの少なくとも１つを含む場合には好ましい。
【００１２】
即ち、樹脂製品を製造するに当たって必須となる基本的な条件をポジティブリストデータベースから抽出し、この基本検索条件に基づいて在庫データベースから使用可能な在庫の被リサイクルフィラーを容易に抽出することが出来る。
【００１３】
また、被リサイクルフィラーの組み合わせ回答数を指定する回答数指定手段と、被リサイクルフィラーを選択する優先条件を指定する優先条件指定手段とを有し、前記最適組み合わせ出力手段は、前記回答数指定手段により指定された回答数をｍとし、前記製品要求指定手段により指定された樹脂製品の製品数をｎとし、ｍ＋ｎ−１＝Ｘとすると、製造される樹脂製品毎の使用可能な被リサイクルフィラーを、前記優先条件指定手段により指定した優先条件に応じて配列させた際の上位Ｘ番目までを夫々の樹脂製品の計算対象要素とし、それ等各計算対象要素の全ての組み合わせを一旦計算して、前記優先条件指定手段により指定した優先条件に応じて優先順に並べ、上位ｎ番目までの優先される組み合わせを取り出して一覧表示する場合には、最適な被リサイクルフィラーの組み合わせの数を制限して演算時間を短縮することが出来、更には複数の樹脂製品が同一の被リサイクルフィラーを指定した場合に該被リサイクルフィラーの在庫供給量が複数の樹脂製品を製造する量に足りない場合等の際に他の被リサイクルフィラーの組み合わせを選択することが出来る。
【００１４】
また、前記優先条件指定手段により指定される優先条件は、コスト条件、品質条件、納期条件のうちの少なくとも１つを含む場合には好ましい。
【００１５】
また、製造される樹脂製品に応じて加工条件や処方条件等の処方情報を記憶する処方箋データベースと、前記最適組み合わせ出力手段により出力された被リサイクルフィラーの組み合わせに応じて前記処方箋データベースから、その被リサイクルフィラーの組み合わせに応じた処方情報を出力する処方箋出力手段とを有する場合には、処方箋出力手段により被リサイクルフィラーの組み合わせに応じた処方情報を出力することが出来、この処方情報に従って回収された被リサイクルフィラーを利用して樹脂製品を容易に製造することが出来る。
【００１６】
また、前記処方箋出力手段により出力された処方情報が通信手段を介して選択された加工業者に送信される場合には、加工業者は受信した処方情報に従って回収された被リサイクルフィラーを利用して樹脂製品を容易に製造することが出来る。
【００１７】
【発明の実施の形態】
図により本発明に係るフィラーリサイクルシステムの一実施形態を具体的に説明する。図１は被リサイクルフィラーを回収する回収業者を登録する様子を示すフローチャート、図２は回収業者が回収した被リサイクルフィラーを登録する様子を示すフローチャートである。
【００１８】
図３は製造される樹脂製品毎にポジティブリストデータベース及び処方箋データベースに各種情報を登録する様子を示すフローチャート、図４は製造される樹脂製品に応じて最適な被リサイクルフィラーを選定する様子を示すフローチャート、図５は製造が必要とされる樹脂製品の発注の様子を示すフローチャートである。
【００１９】
図６は回収業者が回収した被リサイクルフィラーを登録する際の登録画面を示す図、図７は個々の回収業者が登録した被リサイクルフィラーの一覧画面を示す図、図８はポジティブリストデータベースに格納され、樹脂製品の原材料として使用可能な被リサイクルフィラーの条件情報の一例を示す図、図９は他の条件情報の一例を示す図である。
【００２０】
図１０は処方箋データベースに格納され、使用可能な被リサイクルフィラーを用いて樹脂製品を製造するための処方情報の一例を示す図、図１１は必要な樹脂製品を登録する際の登録画面を示す図、図１２は最適組み合わせ出力手段により出力された被リサイクルフィラーの最適な組み合わせ及び加工業者を選択する際の選択画面を示す図である。
【００２１】
図１３はコスト条件で被リサイクルフィラーの最適組み合わせを行なう様子を示す図、図１４は品質条件で被リサイクルフィラーの最適組み合わせを行なう様子を示す図、図１５は納期条件で被リサイクルフィラーの最適組み合わせを行なう様子を示す図である。
【００２２】
図１〜図５は、回収された被リサイクルフィラーを利用して樹脂製品を製造するための本発明に係るフィラーリサイクルシステムを利用するフローチャト及び制御系のブロック図を示し、その中核となる樹脂メーカーのサーバ装置１には、製造される樹脂製品の少なくとも一部に使用出来る被リサイクルフィラーの条件情報を記憶するポジティブリストデータベース（以下、「ポジティブリストＤＢ」という）２が設けられている。
【００２３】
ポジティブリストＤＢ２に格納された被リサイクルフィラーの条件情報としては、図８に示すように、樹脂製品の原材料として使用可能な該被リサイクルフィラーの種類、組成、形状等の品種情報、回収場所、分別、洗浄の有無等の素性情報、未分別の異種材料等の不純物の種類と混入量等の混入情報、更には、図９に示すように、製造メーカー名、商標名、グレード名等の識別情報等が含まれていることが一例として考えられる。このような情報のうちの少なくとも１つがポジティブリストＤＢ２に格納されている。
【００２４】
更にサーバ装置１には、図７に示したように、回収された被リサイクルフィラーの在庫情報を記憶する在庫データベース（以下、「在庫ＤＢ」という）３、図１０に示すように、製造される樹脂製品に応じて配合量や混練条件等の加工条件や処方条件等の処方情報を記憶する処方箋データベース（以下、「処方箋ＤＢ」という）４、回収業者の固有情報を記憶する回収業者データベース（以下、「回収業者ＤＢ」という）５が設けられている。
【００２５】
更にサーバ装置１には、被リサイクルフィラーの登録から必要な樹脂製品の登録、各樹脂製品に応じた被リサイクルフィラーの組み合わせ結果、加工業者への発注、被リサイクルフィラーの受注、樹脂製品の納入までの種々の経過を記憶する経過状況管理データベース（以下、「経過状況管理ＤＢ」という）６が設けられている。
【００２６】
また、サーバ装置１には、製造される樹脂製品の要求条件を指定する製品要求指定手段となる図１１に示す製品登録画面８により指定された樹脂製品の要求条件情報と、図８及び図９に示すポジティブリストＤＢ２に記憶された被リサイクルフィラーの条件情報と、図７に示す在庫ＤＢ３に記憶された被リサイクルフィラーの在庫情報とから、回収された被リサイクルフィラーの最適な組み合わせを出力する最適組み合わせ出力手段としてコンピュータシステムにより実行されるコンピュータプログラムソフトウエアからなる被リサイクルフィラー選択ソフト７が設けられている。
【００２７】
図１１に示す製品登録画面８には、要求される樹脂製品に使用可能な被リサイクルフィラーの組み合わせ回答数を指定する回答数指定手段となる回答数指定欄８ａ、被リサイクルフィラーを選択するためのコスト条件、品質条件、納期条件等の優先条件を指定する優先条件指定手段となる優先条件指定欄８ｂ等が設けられている。
【００２８】
また、必要とする個々の樹脂製品に関して、製品登録画面８の所定の欄に必要事項を入力し、要求する樹脂製品が１つであれば、入力終了ボタン８ｃをクリックして登録を終了する。
【００２９】
また、要求する樹脂製品が更にある場合には、入力継続ボタン８ｄをクリックして新たな画面上に必要事項を入力し、要求する樹脂製品の製品数分だけ入力継続ボタン８ｄをクリックして順次新たな画面上に必要事項を入力した後、入力終了ボタン８ｃをクリックして登録を終了する。
【００３０】
尚、本実施形態では、要求される樹脂製品を複数登録した場合、優先条件は最初の樹脂製品登録で入力した条件で固定されるように設定している。
【００３１】
入力終了ボタン８ｃ及び入力継続ボタン８ｄの操作回数は、サーバ装置１に設けられた図示しないカウンタによりカウントされ、製品要求指定手段となる製品登録画面８を用いて指定された樹脂製品の製品数が該カウンタから出力される。
【００３２】
最適組み合わせ出力手段となる被リサイクルフィラー選択ソフト７は、回答数指定手段となる製品登録画面８の回答数指定欄８ａに入力されるか或いは選択肢から選択されて指定された回答数（図１１では回答数として「３」が選択されている）を「ｍ」とし、前記カウンタから出力された製品要求指定手段となる製品登録画面８を用いて指定された樹脂製品の製品数を「ｎ」とし、ここで、｛ｍ＋ｎ−１＝Ｘ｝とすると、製造される樹脂製品毎の使用可能な被リサイクルフィラーを優先条件指定手段となる製品登録画面８の優先条件指定欄８ｂで指定した優先条件に応じて配列させた際の上位「Ｘ」番目までを夫々の樹脂製品の計算対象要素とし、それ等各計算対象要素の全ての組み合わせを一旦計算して、優先条件指定手段となる製品登録画面８の優先条件指定欄８ｂで指定した優先条件に応じて優先順に並べ、上位「ｎ」番目までの優先される組み合わせを取り出して、図１２に示す最適組み合わせ一覧画面９に一覧表示する。
【００３３】
本実施形態では、図１１の製品登録画面８の回答数指定欄８ａに指定されたように回答数「ｍ＝３」、図１２の最適組み合わせ一覧画面９の製造指定した樹脂製品名欄９ａに指定されたように製品数「ｎ＝３」で、製品登録画面８の優先条件指定欄８ｂでコスト優先が優先条件として指定され、コスト優先で配列させた際の上位「５」番目までの組み合わせを計算してコスト優先順に並べ、最終的に上位「３」番目までの組み合わせを最適組み合わせ一覧画面９に表示したものである。
【００３４】
また、サーバ装置１には、最適組み合わせ出力手段となる被リサイクルフィラー選択ソフト７により出力された被リサイクルフィラーの組み合わせに応じて処方箋ＤＢ４から、その被リサイクルフィラーの組み合わせに応じた処方情報を出力する処方箋出力手段を兼ねるコンピュータシステムにより実行されるコンピュータプログラムソフトウエアからなる経過管理ソフト１０が設けられており、該経過管理ソフト１０により出力された処方情報が通信手段となる通信ネットワーク１１を介して図１２に示す最適組み合わせ一覧画面９の加工業者選択欄９ｂで選択された加工業者のコンピュータ１２に電子メール等により送信される。
【００３５】
次に上記構成のフィラーリサイクルシステムを利用して、回収業者Ａ，Ｂ，Ｃにより回収された被リサイクルフィラーを利用して加工業者α，β，γが樹脂製品を製造し、納入されるまでのプロセスについて説明する。
【００３６】
先ず、図１において、回収業者Ａ，Ｂ，Ｃは夫々のコンピュータ１２を利用して通信手段となる通信ネットワーク１１を介して樹脂メーカーのサーバ装置１によりインターネット上に提供されるウエブサイト（ホームページ）にアクセスし、各回収業者Ａ，Ｂ，Ｃの登録を行なう（ステップＳ１）。
【００３７】
その際、サーバ装置１に設けられたコンピュータシステムにより実行されるコンピュータプログラムソフトウエアからなる業者登録ソフト１３により提供される図示しない業者登録画面に設けられた各種入力欄に会社名、会社住所、電話番号、ファクシミリ番号、電子メールアドレス番号等の固有情報を入力して送信すると、業者登録ソフト１３によりＩＤ番号やパスワード等が付与されて通信ネットワーク１１を介して各回収業者Ａ，Ｂ，Ｃに送信される（ステップＳ２）。
【００３８】
また、登録された各回収業者Ａ，Ｂ，Ｃの固有情報及び付与したＩＤ番号やパスワード等は業者登録ソフト１３により回収業者ＤＢ５に自動的に書き込まれて格納される（ステップＳ３）。
【００３９】
次に、図２に示すように、各回収業者Ａ，Ｂ，Ｃが回収した被リサイクルフィラーを登録する場合には、サーバ装置１に設けられたコンピュータシステムにより実行されるコンピュータプログラムソフトウエアからなる被リサイクルフィラー登録ソフト１４により提供される図６に示す被リサイクルフィラー登録画面１５にアクセスする（ステップＳ４）。
【００４０】
その際、被リサイクルフィラー登録画面１５へのアクセスは予め登録されたＩＤ番号及びパスワードを照合してアクセスが許可される。即ち、各回収業者Ａ，Ｂ，Ｃが図示しないＩＤ照合画面にＩＤ番号及びパスワードを入力して送信すると、被リサイクルフィラー登録ソフト１４は回収業者ＤＢ５に格納されたＩＤ番号及びパスワードと照合し（ステップＳ５）、予め登録された回収業者Ａ，Ｂ，Ｃにのみ被リサイクルフィラー登録画面１５へのアクセスを許容する。
【００４１】
被リサイクルフィラー登録画面１５にアクセスを許可された回収業者Ａ，Ｂ，Ｃは、所定の入力欄に必要事項を入力した後、被リサイクルフィラー登録画面１５の登録申し込みボタン１５ａをクリックして被リサイクルフィラー登録情報を通信ネットワーク１１を介して送信する。
【００４２】
回収業者Ａ，Ｂ，Ｃからの被リサイクルフィラー登録情報を受信したサーバ装置１は被リサイクルフィラー登録ソフト１４により該被リサイクルフィラー登録情報を分類し、図７に示すように、表形式に整理すると共にコード化して登録する（ステップＳ６）。
【００４３】
図７は個々の回収業者Ａ，Ｂ，Ｃ毎に登録された在庫画面であり、各回収業者Ａ，Ｂ，Ｃは必要に応じて自社で登録した被リサイクルフィラーに関するデータのみを図７に示すような一覧形式で閲覧出来るようになっている（ステップＳ７）。尚、サーバ装置１を管理する樹脂メーカーは登録された全ての回収業者Ａ，Ｂ，Ｃの被リサイクルフィラーに関するデータを閲覧することが出来る。
【００４４】
一方、樹脂メーカーは、図３に示すように、各種の樹脂製品毎にポジティブリストＤＢ２及び処方箋ＤＢ４に必要なデータを入力し、必要に応じて更新する（ステップＳ８）。
【００４５】
図８に示すポジティブリストＤＢ２は樹脂製品の原材料として使用可能な被リサイクルフィラーの条件情報が登録されている一例である。具体的にはフィラーの種類、組成、形状等の品種情報、回収場所、分別、洗浄の有無等の素性情報、未分別の異種材料等の不純物の種類と混入量等の混入情報等が登録される。
【００４６】
図９に示すポジティブリストＤＢ２もまた樹脂製品の原材料として使用可能な被リサイクルフィラーの条件情報が登録されている一例である。具体的には、製造メーカー名、商標名、グレード名等の識別情報が登録されている。この識別情報の登録に当たっては、樹脂メーカーは事前にそのグレードが使用出来ることを検討しておく必要がある。実験を行なって確認が出来たもの、または確認実験をしなくても使用可能であることが容易に推定出来るグレードの情報を登録出来、図９はその一例である。
【００４７】
ポジティブリストＤＢ２中に図８で例示するような組成で判断するポジティブリストが存在するシステムでは、回収業者Ａ，Ｂ，Ｃは回収して来た被リサイクルフィラーの製造元、商標、グレード名が分からなくても自分で組成分析し、必要な品種情報を得ることが出来れば在庫ＤＢ３に登録することが出来、図４のステップＳ１４に示す検索にて選択される可能性を適宜設定することが出来る。
【００４８】
図８に示す品種情報等の条件情報と、図９に示す商標、グレード名等の条件情報とは夫々単独にポジティブリストＤＢ２に格納して用いても良いし、両方をポジティブリストＤＢ２に格納して使用しても良い。両方の条件情報を使用する場合には図８と図９に示す条件情報の両方を同時に満たすもののみを取り扱うＡＮＤ方式と、何れか一方の条件情報を満たすものを取り扱うＯＲ方式が適用可能である。
【００４９】
尚、図８及び図９に示した項目欄の構成は一例を示したに過ぎず、例えば、図８に存在する「回収場所」や「分別」の項目欄を図９に設けても良く、他の種々の項目欄構成が適用出来る。
【００５０】
一方、図４において、樹脂メーカーは、図１１に示す製品登録画面８を利用して必要な樹脂製品名、必要量、納期、上限価格等の必要事項を所定の入力欄に入力すると共に（ステップＳ９，Ｓ１０）、優先条件指定欄８ｂでコスト優先、品質優先、納期優先のいずれかを選択し、更に回答数指定欄８ａに被リサイクルフィラーの組み合わせ回答数を入力する（ステップＳ１１）。
【００５１】
サーバ装置１に設けられた被リサイクルフィラー選択ソフト７はポジティブリストＤＢ２から製品登録画面８に入力された樹脂製品名に基づいて、その樹脂製品を製造するに当たって必須となる基本的な条件を抽出し（ステップＳ１２，Ｓ１３）、ステップＳ１３で抽出されたこの基本検索条件に、ステップＳ１０で設定された納期、必要量、上限価格、その他オプション条件というような、その時々の要求条件を加えて検索条件を作成し、この検索条件に基づいて在庫ＤＢ３から使用可能な在庫の被リサイクルフィラーを抽出して（ステップＳ１４，Ｓ１５）、その全リストを出力した後（ステップＳ１６）、前記ステップＳ１１において指定された優先条件に応じて被リサイクルフィラーを再配列すると共に前記ステップＳ１１において指定された組み合わせ回答数に応じた各被リサイクルフィラーの組み合わせを算出し（ステップＳ１７）、その組み合わせ結果を図１２の最適組み合わせ一覧画面９に示すような一覧表で出力表示する（ステップＳ１８）。
【００５２】
例えば、図４のステップＳ９〜Ｓ１１において、樹脂メーカーの樹脂製品発注者が図１１の製品登録画面８に従い、図１３（ａ）に示すように３種類の樹脂製品の製造及び、それ等の各必要量と納期とを指定し、更に優先条件指定欄８ｂでコスト優先を選択した場合、先ず、これ等の樹脂製品名を検索条件として図８及び図９に示すポジティブリストＤＢ２から、それ等の樹脂製品を製造するに当たって必須となる個々の基本的な条件が抽出され、その基本的条件を検索条件として図７に示す在庫ＤＢ３から図１３（ｂ）〜（ｄ）に示すように、各樹脂製品毎に使用可能な被リサイクルフィラーを価格の安い順に整列をかけて出力する。
【００５３】
ここで、各樹脂製品に使用出来る被リサイクルフィラーの数が多数である場合、それ等の組み合わせの数は膨大な数となり、コンピュータシステムを利用するとしても計算に時間がかかり、樹脂メーカーの処方指示者はコンピュータ１２のディスプレイ上に結果が表示されるまで待機しなければならず、作業性が悪いという問題がある。
【００５４】
そこで、本発明に係るフィラーリサイクルシステムでは、組み合わせ回答数を指定して上位のもののみを計算の対象として取り扱うものとした。即ち、本実施形態では、図１１の製品登録画面８の回答数指定欄８ａで回答数が「３」と指定されたのを受けて、図１３（ｂ）〜（ｄ）に示す各樹脂製品に使用出来る被リサイクルフィラーのうち、価格の安い順で上位５（＝回答数３＋樹脂製品数３−１）位までの各被リサイクルフィラーを取り出して、それ等について最適な組み合わせを計算する。
【００５５】
回答数３、樹脂製品数３の条件で上位５位までの範囲で組み合わせを計算することで、計算時間を短縮すると共に、同じ被リサイクルフィラーを複数の樹脂製品で重ねて指定し、且つ被リサイクルフィラーの供給量がその複数の樹脂製品を製造する量に足りない場合には他の被リサイクルフィラーを計算対象にすることが出来る。
【００５６】
そして、図１３（ｂ）〜（ｄ）に示す各樹脂製品に使用出来る被リサイクルフィラーのうち、価格の安い順で上位５位までの各被リサイクルフィラーを取り出して、それ等について最適な組み合わせを計算し、最適な３組の組み合わせ結果が図１２の最適組み合わせ一覧画面９に出力表示される。図１２の最適組み合わせ一覧画面９では組み合わされた被リサイクルフィラーの総合価格の安い順で整列をかけた一覧表で出力表示した一例である。
【００５７】
図１４（ａ）〜（ｃ）は、図１１の製品登録画面８の優先条件指定欄８ｂで品質優先が選択され、品質条件として異樹脂、異種材料の混入率が低い順で各樹脂製品毎に使用可能な被リサイクルフィラーを整列をかけて出力したものであり、前述と同様に異樹脂、異種材料の混入率が低い順で上位５位までの各被リサイクルフィラーを取り出して、それ等について最適な組み合わせを計算し、図１４（ｄ）に示すように、最適な３組の組み合わせ結果が図１２の最適組み合わせ一覧画面９に同様に出力表示される。
【００５８】
尚、異樹脂、異種材料の混入率が同じ値の場合には価格が安い順に取り扱い、図１４（ｄ）に示す一覧画面上では第１整列条件として異樹脂、異種材料の平均混入率が低い順で整列をかけた後、第２整列条件として総合価格の安い順で整列をかけた一覧表で出力表示する。
【００５９】
また、図１５（ａ）〜（ｃ）は、図１１の製品登録画面８の優先条件指定欄８ｂで納期優先が選択され、納入可能日が早い順で各樹脂製品毎に使用可能な被リサイクルフィラーを整列をかけて出力したものであり、前述と同様に納入可能日が早い順で上位５位までの各被リサイクルフィラーを取り出して、それ等について最適な組み合わせを計算し、図１５（ｄ）に示すように、最適な３組の組み合わせ結果が図１２の最適組み合わせ一覧画面９に同様に出力表示される。
【００６０】
尚、納入可能日が同日の場合には価格が安い順に取り扱い、図１５（ｄ）に示す一覧画面上では第１整列条件として総合納期（組み合わせの中で最も遅い納期）が早い順で整列をかけた後、第２整列条件として総合価格の安い順で整列をかけた一覧表で出力表示する。
【００６１】
上記組み合わせ計算において、コスト（価格）が同値の場合は、異樹脂や異種材料の混入率が低いものが優先され、それも同値の場合は、総合納期が早いほうが優先されるように設定している。そして、更に総合納期も同じ場合は、回収された被リサイクルフィラーの在庫ＤＢ３への登録日の早さによって順位付けを行なうことが出来る。
【００６２】
例えば、上記実施形態の場合であれば、組み合わされた３つの被リサイクルフィラーの在庫ＤＢ３への登録日の平均で比較するとか、最も登録日の早い被リサイクルフィラーを含む組み合わせを優先することで絞り込みを行なうことが出来る。
【００６３】
次に図５を用いて製造が必要とされる樹脂製品の発注の手順について説明する。先ず、ステップＳ２１において、図１２に示す最適組み合わせ一覧画面９の組み合わせ指定欄９ｃで最適な組み合わせを指定すると共に加工業者選択欄９ｂで各樹脂製品に関して加工業者を選択する。
【００６４】
加工業者は、会社名、会社住所、電話番号、ファクシミリ番号、電子メールアドレス番号や加工能力、加工実績、更には被リサイクルフィラーの納入先情報等の固有情報が予め登録され、サーバ装置１により提供されるサイトウエブ（ホームページ）にアクセスするためのＩＤ及びパスワードが付与されている。
【００６５】
そして、それ等の各種データが図１０に示す処方箋ＤＢ４に格納されており、図１２に示す最適組み合わせ一覧画面９の加工業者選択欄９ｂで左側の三角アイコンをクリックすると、樹脂製品名を抽出条件として処方箋ＤＢ４から利用可能な加工業者が抽出されて加工業者選択欄９ｂに一覧表示され、所望の加工業者をクリックすることで選択することが出来る。
【００６６】
樹脂メーカーの樹脂製品発注者は最適組み合わせ一覧画面９の納期欄９ｅに樹脂製品毎に納期を入力した後、図示しない発注ボタンをクリックすると、経過管理ソフト１０により通信ネットワーク１１を介して組み合わせ指定欄９ｃで指定された各被リサイクルフィラーを回収した組み合わせ回収業者Ａ，Ｂ，Ｃに対して電子メールにより目的の被リサイクルフィラーが自動的に発注され、被リサイクルフィラー名と、その数量及び納期、加工業者名及び納入先が通知される（ステップＳ２２）。ここで、経過管理ソフト１０は発注された被リサイクルフィラーを在庫ＤＢ３の検索対象から外す処理を行なう（ステップＳ２３）。
【００６７】
一方、電子メールで被リサイクルフィラーの発注を受信した回収業者Ａ，Ｂ，Ｃは、樹脂メーカーのサーバ装置１により提供されるウエブサイト（ホームページ）にアクセスし、受注の回答や納入日の回答、更には被リサイクルフィラーの発送報告等を送信し（ステップＳ２４）、経過管理ソフト１０により経過状況管理ＤＢ６に各種の経過情報が自動的に格納される（ステップＳ２５）。
【００６８】
また、経過管理ソフト１０は処方箋ＤＢ４から組み合わせ指定欄９ｃで指定された各被リサイクルフィラーを使用して各樹脂製品を製造するための加工条件を検索する（ステップＳ２６）。図１０は製造される樹脂製品に応じて加工条件や処方条件等の処方情報の一例を示すものである。
【００６９】
尚、ここで予め作成しておいたコンピュータプログラムソフトにより、使用する被リサイクルフィラーの種類によって配合量を変える制御を行っても良い。即ち、例えば、フィラーとしてＧＦ（ガラスファイバー）でもＧＢ（ガラスビーズ）でも使用出来る樹脂製品を製造しようとしている場合、補強性能を考慮してフィラーがＧＦなら２０％、ＧＢなら２５％という様な制御を行うことも出来る。
【００７０】
そして、経過管理ソフト１０は通信ネットワーク１１を介して加工業者α，β，γに電子メールで加工発注を行ない、その際に製造する樹脂製品名、数量、納期、納入先等の情報と共に処方箋ＤＢ４から抽出された加工条件等の処方情報を送信する（ステップＳ２７）。
【００７１】
一方、電子メールで加工発注を受信した回収業者Ａ，Ｂ，Ｃは、樹脂メーカーのサーバ装置１により提供されるウエブサイト（ホームページ）にアクセスし、受注の回答や納入日の回答、更には被リサイクルフィラーの受領報告、製造した樹脂製品の発送報告等を送信し（ステップＳ２８）、経過管理ソフト１０により経過状況管理ＤＢ６に各種の経過情報が自動的に格納されると共に（ステップＳ２５）、回収業者ＤＢ５に実績として記録される（ステップＳ２９）。
【００７２】
尚、前記実施形態では、本発明に係るフィラーリサイクルシステムを運用する主体が樹脂メーカーである場合の一例について説明したが、これに限定される必要はなく、被リサイクルフィラーを利用した樹脂製品を取り扱う商社や樹脂コンパウンド会社、被リサイクルフィラー回収業者等の各企業、更には本発明に係るフィラーリサイクルシステムのみを専用に取り扱うシステム会社、或いは個人が主体として本発明に係るフィラーリサイクルシステムを運用する場合にも広く適用可能である。
【００７３】
【発明の効果】
本発明は、上述の如き構成と作用とを有するので、回収された被リサイクルフィラーの種類や量が増大しても、これ等を効率良く分類、或いは組み合わせて各種のリサイクル製品のリサイクル工程に振り分けることが出来、これにより回収された被リサイクルフィラーを利用して樹脂製品を製造することが出来るフィラーサイクルシステムを提供することが出来る。
【００７４】
即ち、最適組み合わせ出力手段により製品要求指定手段により指定された樹脂製品の要求条件情報と、ポジティブリストデータベースに記憶された被リサイクルフィラーの条件情報と、在庫データベースに記憶された被リサイクルフィラーの在庫情報とから、回収された被リサイクルフィラーの最適な組み合わせを出力することが出来る。
【００７５】
これにより、回収された被リサイクルフィラーの種類や量が増大しても、これ等を効率良く分類、或いは組み合わせて各種のリサイクル製品のリサイクル工程に振り分けることが出来、多種多様に回収された被リサイクルフィラーを利用して各種の樹脂製品を製造するフィラーリサイクルシステムを容易に構築することが出来る。
【００７６】
また、ポジティブリストデータベースに記憶される被リサイクルフィラーの条件情報が、該被リサイクルフィラーの種類、組成、形状等の品種情報、回収場所、分別、洗浄の有無等の素性情報、未分別の異種材料等の不純物の種類と混入量等の混入情報、製造メーカー名、商標名、グレード名等の識別情報等を含んでいるため樹脂製品を製造するに当たって必須となる基本的な条件をポジティブリストデータベースから抽出し、この基本検索条件に基づいて在庫データベースから使用可能な在庫の被リサイクルフィラーを容易に抽出することが出来る。
【００７７】
また、被リサイクルフィラーの組み合わせ回答数を指定する回答数指定手段と、被リサイクルフィラーを選択する優先条件を指定する優先条件指定手段とを有し、最適組み合わせ出力手段は、回答数指定手段により指定された回答数をｍとし、製品要求指定手段により指定された樹脂製品の製品数をｎとし、ｍ＋ｎ−１＝Ｘとすると、製造される樹脂製品毎の使用可能な被リサイクルフィラーを、優先条件指定手段により指定した優先条件に応じて配列させた際の上位Ｘ番目までを夫々の樹脂製品の計算対象要素とし、それ等各計算対象要素の全ての組み合わせを一旦計算して、優先条件指定手段により指定した優先条件に応じて優先順に並べ、上位ｎ番目までの優先される組み合わせを取り出して一覧表示する場合には、最適な被リサイクルフィラーの組み合わせの数を制限して演算時間を短縮することが出来、更には複数の樹脂製品が同一の被リサイクルフィラーを指定した場合に該被リサイクルフィラーの在庫供給量が複数の樹脂製品を製造する量に足りない場合等の際に他の被リサイクルフィラーの組み合わせを選択することが出来る。
【００７８】
また、優先条件指定手段により指定される優先条件としてコスト条件、品質条件、納期条件を設定することが出来る。
【００７９】
また、製造される樹脂製品に応じて加工条件や処方条件等の処方情報を記憶する処方箋データベースと、最適組み合わせ出力手段により出力された被リサイクルフィラーの組み合わせに応じて処方箋データベースから、その被リサイクルフィラーの組み合わせに応じた処方情報を出力する処方箋出力手段とを有する場合には、処方箋出力手段により被リサイクルフィラーの組み合わせに応じた処方情報を出力することが出来、この処方情報に従って回収された被リサイクルフィラーを利用して樹脂製品を容易に製造することが出来る。
【００８０】
また、処方箋出力手段により出力された処方情報が通信手段を介して選択された加工業者に送信される場合には、加工業者は受信した処方情報に従って回収された被リサイクルフィラーを利用して樹脂製品を容易に製造することが出来る。
【図面の簡単な説明】
【図１】被リサイクルフィラーを回収する回収業者を登録する様子を示すフローチャートである。
【図２】回収業者が回収した被リサイクルフィラーを登録する様子を示すフローチャートである。
【図３】製造される樹脂製品毎にポジティブリストデータベース及び処方箋データベースに各種情報を登録する様子を示すフローチャートである。
【図４】製造される樹脂製品に応じて最適な被リサイクルフィラーを選定する様子を示すフローチャートである。
【図５】製造が必要とされる樹脂製品の発注の様子を示すフローチャートである。
【図６】回収業者が回収した被リサイクルフィラーを登録する際の登録画面を示す図である。
【図７】個々の回収業者が登録した被リサイクルフィラーの一覧画面を示す図である。
【図８】ポジティブリストデータベースに格納され、樹脂製品の原材料として使用可能な被リサイクルフィラーの条件情報の一例を示す図である。
【図９】ポジティブリストデータベースに格納され、樹脂製品の原材料として使用可能な被リサイクルフィラーの他の条件情報の一例を示す図である。
【図１０】処方箋データベースに格納され、使用可能な被リサイクルフィラーを用いて樹脂製品を製造するための処方情報の一例を示す図である。
【図１１】必要な樹脂製品を登録する際の登録画面を示す図である。
【図１２】最適組み合わせ出力手段により出力された被リサイクルフィラーの最適な組み合わせ及び加工業者を選択する際の選択画面を示す図である。
【図１３】コスト条件で被リサイクルフィラーの最適組み合わせを行なう様子を示す図である。
【図１４】品質条件で被リサイクルフィラーの最適組み合わせを行なう様子を示す図である。
【図１５】納期条件で被リサイクルフィラーの最適組み合わせを行なう様子を示す図である。
【符号の説明】
Ａ，Ｂ，Ｃ…回収業者
α，β，γ…加工業者
１…サーバ装置
２…ポジティブリストＤＢ
３…在庫ＤＢ
４…処方箋ＤＢ
５…回収業者ＤＢ
６…経過状況管理ＤＢ
７…被リサイクルフィラー選択ソフト
８…製品登録画面
８ａ…回答数指定欄
８ｂ…優先条件指定欄
８ｃ…入力終了ボタン
８ｄ…入力継続ボタン
９…最適組み合わせ一覧画面
９ａ…製造指定した樹脂製品名欄
９ｂ…加工業者選択欄
９ｃ…組み合わせ指定欄
９ｄ…納入先欄
９ｅ…納期欄
１０…経過管理ソフト
１１…通信ネットワーク
１２…コンピュータ
１３…業者登録ソフト
１４…被リサイクルフィラー登録ソフト
１５…被リサイクルフィラー登録画面
【図１】
2004110343.tif 000003
【図２】
2004110343.tif 000004
【図３】
2004110343.tif 000005
【図４】
2004110343.tif 000006
【図５】
2004110343.tif 000007
【図６】
2004110343.tif 000008
【図７】
2004110343.tif 000009
【図８】
2004110343.tif 000010
【図９】
2004110343.tif 000011
【図１０】
2004110343.tif 000012
【図１１】
2004110343.tif 000013
【図１２】
2004110343.tif 000014
【図１３】
2004110343.tif 000015
【図１４】
2004110343.tif 000016
【図１５】
2004110343.tif 000017